(57)【要約】【課題】  データベースに保存されている写真、図形、テキスト等の情報を表示及び／または印刷するに際して、出力画面構成を自由なレイアウトで行えるようにすると共に、テンプレート文書作成用の専用のプログラムを用いる必要がない表示印刷画面の設定方法を提供すること。【解決手段】  実情報データベース２１内の情報（写真、図形、テキスト等）を表示及び／または印刷するに際して、まず、既成のワードプロセッサプログラムであるワードプロセッサプログラム１１を起動してテンプレート文書を作成し、これにより、出力画面構成を自由なレイアウトで設定し、その後、本方法のプログラム１２を起動して、実情報データベース２１内の情報（写真、図形、テキスト等）を、前記テンプレート文書の設定に従って表示及び／または印刷するための出力画面を構築する。【選択図】      図１
2006276991.tif 000002
【特許請求の範囲】
【請求項１】
データベースに保存されている情報を表示及び／または印刷する際の出力画面の構成をレイアウトするための表示印刷画面の設定方法において、
ワードプロセッサプログラムを起動することにより、予め、ダミー図形ファイルと、前記ダミー図形ファイルへのリンクと、キーワードとを含むテンプレート文書を作成するステップと、
前記テンプレート文書中の前記ダミー図形を収納するファイルへのリンクを、前記データベースに保存されている表示及び／または印刷すべき情報を収納した出力ファイルへのリンクに書き換えるステップと、
前記テンプレート文書中のキーワードを、前記出力ファイル内の当該キーワードに対応したファイル付帯情報で書き換えるステップと、
を備えたことを特徴とする表示印刷画面の設定方法。
【請求項２】
前記ワードプロセッサプログラムは、既成のワードプロセッサプログラムであることを特徴とする請求項１記載の表示印刷画面の設定方法。
【請求項３】
前記出力ファイルに収納されている情報は、少なくとも、写真、図形、テキストのいずれかを含むことを特徴とする請求項１または請求項２記載の表示印刷画面の設定方法。
【請求項４】
前記ファイル付帯情報には、少なくとも前記出力ファイルに収納されている情報の作成日と作成時刻とが含まれていることを特徴とする請求項１乃至３のいずれか１項に記載の表示印刷画面の設定方法。
【請求項５】
前記キーワードを書き換える前記ファイル付帯情報の文字フォントを前記キーワードの文字フォントに、文字サイズを、前記キーワードの文字サイズに、それぞれ一致させることを特徴とする請求項１乃至４のいずれか１項に記載の表示印刷画面の設定方法。
【請求項６】
データベースに保存されている情報を表示及び／または印刷する際の出力画面の構成を、予めワードプロセッサプログラムで作成されたテンプレート文書を用いてレイアウトする処理を、コンピュータで実行するためのコンピュータプログラムであって、
前記テンプレート文書中のダミー図形を収納するファイルへのリンクを、前記データベースに保存されている表示及び／または印刷すべき情報を収納した出力ファイルへのリンクに書き換えるステップと、
前記テンプレート文書中のキーワードを、前記出力ファイル内の当該キーワードに対応したファイル付帯情報で書き換えるステップと、
を有することを特徴とするコンピュータプログラム。
【請求項７】
前記ワードプロセッサプログラムは、既成のワードプロセッサプログラムであることを特徴とする請求項６記載のコンピュータプログラム。
【請求項８】
前記出力ファイルに収納されている情報は、少なくとも、写真、図形、テキストのいずれかを含むことを特徴とする請求項６または請求項７記載のコンピュータプログラム。
【請求項９】
前記ファイル付帯情報には、少なくとも前記出力ファイルに収納されている情報の作成日と作成時刻とが含まれていることを特徴とする請求項６乃至８のいずれか１項に記載のコンピュータプログラム。
【請求項１０】
前記キーワードを書き換える前記ファイル付帯情報の文字フォントを前記キーワードの文字フォントに、文字サイズを、前記キーワードの文字サイズに、それぞれ一致させることを特徴とする請求項６乃至９のいずれか１項に記載のコンピュータプログラム。
【請求項１１】
請求項６乃至１０のいずれか１項に記載のコンピュータプログラムによって制御されるコンピュータを搭載した撮像装置。
【請求項１２】
請求項６乃至１０のいずれか１項に記載のコンピュータプログラムによって制御されるコンピュータを搭載した端末装置。
【発明の詳細な説明】
【技術分野】
【０００１】
本発明は表示印刷画面の設定方法、及びコンピュータプログラムに係り、特に、データベースに保存されている写真、図形、テキスト等のデータを、専用のプログラムを用いずに、利用者の望み通りの任意のレイアウトで表示・印刷することを可能とする表示印刷画面、及びコンピュータプログラムに関する。
【背景技術】
【０００２】
従来の画面表示印刷方法では、データベースに保存されている写真、図形、テキスト等のデータを、コンピュータ画面に表示する時、及び／またはコンピュータシステムで印刷する時、その処理は、多くの場合、コンピュータプログラムによって行われているが、この時、この表示及び／または印刷されるデータの画面レイアウトは、設定画面として表示される選択肢の中から選択している。また、この設定画面に示される選択肢の選択項目は、コンピュータプログラムによって予め設定されたものである。以下、この設定画面の機能について説明する。
【０００３】
図１０は、従来の画像表示印刷方法で表示・印刷されるデータの画面レイアウトを選択するための１例としての設定画面とその結果を示す説明図であり、図１０（ａ）は選択画面、図１０（ｂ）は選択された結果として表示・印刷される画像を示す。
【０００４】
同図に示す設定画面は、利用者が、或る市販のコンピュータプログラムを用いて写真を表示印刷する際の画面レイアウトを設定する時に表示される設定画面である。
利用者は、このコンピュータプログラムにおいて、予め用意され、かつ表示される項目（選択肢）を選択することができる。このような項目として、同図に示す例では、用紙の種類、画面または印刷用紙のレイアウト（画面または印刷用紙を縦長に使うのか、それとも横長に使うのかなどの選択肢）、画面サイズ、１画面に配置する画像（写真）の数（部数）等の項目が表示されている。
【０００５】
なお、特許文献１（特開２００４−６２４３３号公報）では、個々の表示画面に対応させて画面表示プログラムを開発する必要がなく、画面表示を画面単位の定義設定によって行えるようにすると共に、単一の定義設定で多様な表示画面に対応することを可能にし、画面表示に至るまでの手間を省くと共に、表示画面が更新された時の対応に要する期間を短縮することができる表示方法を開示している。以下、特許文献１に開示された表示方法を具体例で説明する。
【０００６】
図１１は、特許文献１に示された表示方法による情報の表示画面の説明図である。
特許文献１に示された表示方法によれば、情報は、図１１に示すように利用者のコンピュータ画面に表示される。
【０００７】
図１２は、特許文献１に示された表示方法による画像のレイアウト方法を示すための画像表示テンプレートの説明図である。
特許文献１に示された表示方法では、図１１に示す表示画面における「注文日」や「品目コード」などの各項目（カラム）の表示位置は、図１２に示す画像表示テンプレートを参照して選択できようにしている。
【特許文献１】特開２００４−６２４３３号公報
【発明の開示】
【発明が解決しようとする課題】
【０００８】
ところで、上記背景技術で述べた従来の表示印刷画面の設定方法にあっては、前述のとおり、データベースに保存されている写真、図形、テキスト等のデータを、コンピュータ画面に表示する時、及び／またはコンピュータシステムで印刷する時、その処理には、多くの場合、コンピュータプログラムを用いており、表示及び／または印刷されるデータの画面レイアウトは、設定画面として表示される選択肢の中から選択される。また、この設定画面に示される選択肢の選択項目は、コンピュータプログラムによって予め設定されたものである。このため、利用者は、画面のレイアウトを任意に設定することができず、また、設定画面に習熟している必要があり、よって、利用者のニーズを満たすものではないという問題点があった。
【０００９】
例えば、利用者は、従来の手段では、写真１枚毎のサイズや、その写真が配置される画面上の位置などを思い通りに設定することができなかった。
なお、特許文献１（特開２００４−６２４３３号公報）に開示された方法では、各項目の表示方法を利用者が思いどおりに設定するには図１２に示すような画像表示テンプレートを変更しなければならない。それには専用のプログラムを用いる必要があり、その使い方に詳しい専門の担当者に依頼するなど、手続きが煩雑となっていた。
【００１０】
本発明は、上記従来の問題点に鑑みてなされたものであって、データベースに保存されている写真、図形、テキスト等の情報を表示及び／または印刷するに際して、出力画面構成を自由なレイアウトで行えるようにすると共に、テンプレート文書作成用の専用のプログラムを用いる必要がない表示印刷画面の設定方法を提供することを目的としている。
【００１１】
本発明の他の目的は、データベースに保存されている写真、図形、テキスト等の情報を表示及び／または印刷するに際して、出力画面構成を自由なレイアウトで行えるようにするコンピュープログラムを提供することを目的としている。
【課題を解決するための手段】
【００１２】
本発明は、上記した従来の表示印刷画面の設定方法の課題に鑑みてなされたものであり、データベースに保存されている情報を表示及び／または印刷する際の出力画面の構成をレイアウトするための表示印刷画面の設定方法において、ワードプロセッサプログラムを起動することにより、予め、ダミー図形ファイルと、前記ダミー図形ファイルへのリンクと、キーワードとを含むテンプレート文書を作成するステップと、前記テンプレート文書中の前記ダミー図形を収納するファイルへのリンクを、前記データベースに保存されている表示及び／または印刷すべき情報を収納した出力ファイルへのリンクに書き換えるステップと、前記テンプレート文書中のキーワードを、前記出力ファイル内の当該キーワードに対応したファイル付帯情報で書き換えるステップと、を備えたことを特徴とする表示印刷画面の設定方法を提供するものである。
【００１３】
なお、前記表示印刷画面の設定方法において、前記ワードプロセッサプログラムは、既成のワードプロセッサプログラムであることを特徴とする。
また、前記表示印刷画面の設定方法において、前記出力ファイルに収納されている情報は、少なくとも、写真、図形、テキストのいずれかを含むことを特徴とする。
【００１４】
また、前記表示印刷画面の設定方法において、前記ファイル付帯情報には、少なくとも前記出力ファイルに収納されている情報の作成日と作成時刻とが含まれていることを特徴とする。
【００１５】
さらに、前記表示印刷画面の設定方法は、前記キーワードを書き換える前記ファイル付帯情報の文字フォントを前記キーワードの文字フォントに、文字サイズを、前記キーワードの文字サイズに、それぞれ一致させることを特徴とする。
【００１６】
本発明は、上記した従来の表示印刷画面の設定方法を実行するコンピュータプログラムの課題に鑑みてなされたものであり、データベースに保存されている情報を表示及び／または印刷する際の出力画面の構成を、予めワードプロセッサプログラムで作成されたテンプレート文書を用いてレイアウトする処理を、コンピュータで実行するためのコンピュータプログラムであって、前記テンプレート文書中のダミー図形を収納するファイルへのリンクを、前記データベースに保存されている表示及び／または印刷すべき情報を収納した出力ファイルへのリンクに書き換えるステップと、前記テンプレート文書中のキーワードを、前記出力ファイル内の当該キーワードに対応したファイル付帯情報で書き換えるステップと、を有することを特徴とするコンピュータプログラムを提供するものである。
【００１７】
なお、前記コンピュータプログラムの実行前に使用される前記ワードプロセッサプログラムは、既成のワードプロセッサプログラムであることを特徴とする。
また、前記コンピュータプログラムの実行に際して、前記出力ファイルに収納されている情報は、少なくとも、写真、図形、テキストのいずれかを含むことを特徴とする。
【００１８】
また、前記コンピュータプログラムの実行に際して、前記ファイル付帯情報には、少なくとも前記出力ファイルに収納されている情報の作成日と作成時刻とが含まれていることを特徴とする。
【００１９】
さらに、前記コンピュータプログラムは、前記キーワードを書き換える前記ファイル付帯情報の文字フォントを前記キーワードの文字フォントに、文字サイズを、前記キーワードの文字サイズに、それぞれ一致させることを特徴とする。
【００２０】
また、本発明は、請求項６乃至１０のいずれか１項に記載のコンピュータプログラムによって制御されるコンピュータを搭載した撮像装置を提供するものである。
さらに、本発明は、請求項６乃至１０のいずれか１項に記載のコンピュータプログラムによって制御されるコンピュータを搭載した端末装置を提供するものである。
【発明の効果】
【００２１】
以上説明したように、本発明の表示印刷画面の設定方法、及びコンピュータプログラムによれば、利用者がテンプレート文書を作成する際には、本方法に専用のコンピュータプログラムを用いてテンプレート文書を作成するものではなく、一般に広く使われているワードプロセッサプログラムを用いて、テンプレート文書を作成することが可能となり、しかも、このようなテンプレート文書の使用により、データベースに保存されている写真、図形、テキスト等を、利用者が望むとおりの自由なレイアウトで表示及び／または印刷することが可能となるので、これにより、装置の操作性が向上し、かつ操作の習熟コストを節約することができる効果がある。
【００２２】
また、写真の撮影日時などの付帯情報は、利用者が望むとおりのレイアウト、フォント、フォントサイズで自動的に挿入されるのでハンドリング機能を充実することができる効果がある。
【発明を実施するための最良の形態】
【００２３】
以下、本発明の表示印刷画面の設定方法、及びコンピュータプログラムの最良の実施形態について、図面を参照して詳細に説明する。
図１は、本発明の実施形態に係る表示印刷画面の設定方法を取り入れたシステムの全体構成を示す構成図である。
【００２４】
同図において、本実施形態の表示印刷画面の設定方法を備えたシステムは、利用者コンピュータ装置１と、サーバ装置２と、を備える。
利用者コンピュータ装置１は、ワードプロセッサプログラム１１と、本方法のコンピュータプログラム１２（本実施形態の表示印刷画面の設定方法を実行するプログラム）と、本方法で使用されるテンプレート１３と、を有する。
【００２５】
サーバ装置２は、写真、図形、テキスト等のデータを格納した実情報データベース２１を備える。
サーバ装置２には、磁気ディスク装置の他、メモリカード等の外付けの記憶媒体との接続機器も含まれる。また、この外付けの記憶媒体及び接続機器は、Bluetooth規格を含む各種の規格に対応したものとすることが可能である。
【００２６】
テンプレート１３は、利用者が、利用者コンピュータ装置１を使用して実情報データベース２１に格納されたデータを表示・印刷形式に変換する際に、ワードプロセッサプログラム１１が起動されて、利用者によってＸＭＬ形式で作成されるものである。またテンプレート１３は、ワードプロセッサプログラム１１で扱うことのできる他の形式のファイルを元にして、同プログラムによってＸＭＬ形式に変換したものでもよい。
【００２７】
また、ワードプロセッサプログラム１１は、既成のワードプロセッサプログラムで構成するものとする。ワードプロセッサプログラム１１を構成する既成のワードプロセッサプログラムとしては、例えば、マイクロソフト社のＷｏｒｄ２００３などが使用可能である（このようなワードプロセッサプログラムは非常に広く使われており、コンピュータの操作ができる人であれば殆どの人が容易に使用できるので、このようなテンプレート文書は殆ど誰でも簡単に作成できる）。
【００２８】
以下、図１を参照しながら、本実施形態の表示印刷画面の設定方法を備えたシステムの動作について説明する。
利用者は、まず、利用者コンピュータ装置１のワードプロセッサプログラム１１を起動し、テンプレート１３（テンプレート文書）を作成する（図１の符号Ｐ１で示す手順）。
【００２９】
図２は、本実施形態の表示印刷画面の設定方法で使用されるテンプレート文書の１例を示す説明図である。
テンプレート１３においては、写真や図形を表示したい位置に、表示したいサイズでダミーの図形を配置する。また、これらの写真や図形を収納したファイルに付帯している情報、例えば、撮影日、時刻等については、表示したい位置に、対応する所定のキーワード（撮影日：ＤＡＴＥ、時刻：ＴＩＭＥ）を、所望の文字フォント、文字サイズで配置する。
【００３０】
図２において、灰色に塗られた四角形がダミーの図形、ＤＡＴＥと、ＴＩＭＥとがキーワードである。
次に、利用者は、本発明の方法によるコンピュータプログラムを起動する。
【００３１】
図３は、本方法のプログラム１２（以下、「本プログラム」と略称する）の表示画面レイアウト時の動作を示すフローチャートを示す。
以下、図１，２を参照しながら、図３に示すフローチャートを使用して、本実施形態に係るコンピュータプログラム１２による表示画面レイアウト時の動作を説明する。
【００３２】
まず、図１の符号Ｐ２の手順で示すように、本プログラムは、実情報データベース２１を参照し、そのフォルダ構造を画面に表示する（ステップＳ１）。なお、この表示の１例を図４に示す。
【００３３】
図４は、本実施形態に係る表示印刷画面の設定方法を備えたシステムの実情報データベースのフォルダ構造の１例を示す説明図である。
次に、本プログラムは、利用者がフォルダを選択し、表示の実行を操作するまで待機する（ステップＳ２）。この間、利用者は、表示したい写真や図形を含んでいるフォルダ、例えばフォルダ２０００−２００１年を指定し、表示メニューから本プログラムを続行させる。
【００３４】
次に、本プログラムは、利用者が選択したフォルダに収納されている全ての写真ファイルや図形ファイルのファイル名を順次開く（ステップＳ３）。
次に、本プログラムは、テンプレート文書を参照し、この文書に含まれているダミーの図形へのリンクを探し、リンクが見つかった場合はステップＳ５に進み、リンクが見つからなかった場合はステップＳ１０に移る（ステップＳ４）。
【００３５】
ステップＳ５では、本プログラムは、図１の符号Ｐ３の手順で示すように、ダミーの図形へのリンクを、現在開いている写真ファイル、図形ファイルへのリンクに書き換え、ステップＳ６に進む。
【００３６】
その後、本プログラムは、テンプレート文書中のキーワードを検索し、キーワードが見つかると、それを各写真、図形に付帯したファイル付帯情報に書き換える。以下、この処理を説明する。
【００３７】
ステップＳ６では、本プログラムは、テンプレート文書中のキーワードであるＤＡＴＥを探し、キーワードのＤＡＴＥが有る場合はステップＳ７に進み、キーワードのＤＡＴＥが無い場合はステップＳ８に移る。
【００３８】
ステップＳ７では、本プログラムが、関数＿ｆｓｔａｔを呼び出して、ＤＡＴＥを現在開いているファイルの作成日に書き換え、ステップＳ８に進む。
ステップＳ８では、本プログラムは、テンプレート文書中のキーワードであるＴＩＭＥを探し、キーワードのＴＩＭＥが有る場合はステップＳ９に進み、キーワードのＴＩＭＥが無い場合はステップＳ１１に進む。
【００３９】
ステップＳ９では、本プログラムが、関数＿ｆｓｔａｔを呼び出して、ＴＩＭＥを現在開いているファイルの作成時刻に書き換え、ステップＳ１１に進む。
ステップＳ１０では、本プログラムが、テンプレート文書の１ページ分をコピーして新しいページを作り、ステップＳ１１に進む。
【００４０】
ステップＳ１１では、本プログラムが、全ファイルの表示画面レイアウトが完了したか否かを検証し、全ファイルの表示画面レイアウトが完了した場合は処理を終了し、未だレイアウトが完了していないファイルが残っている場合はステップＳ３に戻る。
【００４１】
図５は、本実施形態に係る表示印刷画面の設定方法を実行する前のテンプレート文書の一部内容を示す説明図である。
同図に示すテンプレート文書は、ＸＭＬ（ｅＸｔｅｎｓｉｂｌｅ  Ｍａｒｋｕｐ  Ｌａｎｇｕａｇｅ）で書かれている。この文書を前記ワ一ドプロセッサプログラムで開くと図２に示すような文書となる。
【００４２】
図５の７行目に含まれているファイル名のｄｕｍｍｙ．ｂｍｐは、前記ダミーの図形のファイル名であり、６〜７行目は当該ファイル名を有する図形ファイルヘのリンクを意味している。
【００４３】
図６は、本実施形態に係る表示印刷画面の設定方法を実行した後のテンプレート文書の一部内容を示す説明図である。
同図に示すように、本プログラムを実行すると、図５に示したテンプレート文書ファイルの同じ場所が図６に示すようになる。即ち、図６では、図５に示すｄｕｍｍｙ．ｂｍｐが、ｐｉｃ２．ｂｍｐに書き換えられている。
【００４４】
このｐｉｃ２．ｂｍｐは、フォルダ２０００−２００１年に含まれている実際の写真ファイルの１つである。
テンプレート文書がＸＭＬ文書であり、よって、その規則が全て厳密に規定されたフォーマットで書き出されていること、そして写真や図形などのファイルへのリンクはｏ：ＯＬＥＯｂｊｅｃｔという決まったタグの下に記述されていることなどから、本プログラムはこのような書き換えを容易に、かつ誤りなく実行することができるのである。
【００４５】
図２に示すテンプレート文書において、利用者が、写真の表示と共に、その撮影日時を表示したい場合、利用者は、撮影日時に対応したキーワードを指定することにより、この撮影日時を表示させることができる。
【００４６】
本実施形態に係る表示印刷画面の設定方法では、このような表示を実現するために、撮影日に対応する大文字のＤＡＴＥと、撮影時刻に対応する大文字のＴＩＭＥとをキーワードとして使用するようにしている。
【００４７】
本プログラムは、テンプレート文書中にキーワードＤＡＴＥないしＴＩＭＥがあるかどうかを検索する。前記いずれか１つのキーワードが存在した場合、本プログラムは、ファイル付帯情報であるファイル作成時刻（日付も含む）を読み出す。これは、例えばマイクロソフト社がＣ＋＋言語用に提供している関数＿ｆｓｔａｔを呼び出すことにより、簡単に読み出すことができる。次に、キーワードのＤＡＴＥをファイル作成日に、キーワードのＴＩＭＥを作成時刻に書き換える。
【００４８】
図７は、本実施形態に係る表示印刷画面の設定方法で作成される元のテンプレート文書においてキーワードのＤＡＴＥを含む部分を示した説明図である。
また、図８は、本実施形態に係る表示印刷画面の設定方法で作成されるレイアウト設定後のテンプレート文書においてキーワードのＤＡＴＥが含まれていた部分を示した説明図である。
【００４９】
図７に示すように、元のテンプレート文書においてキーワードＤＡＴＥが含まれている８行目の部分は、図８に示すように、撮影日（一般にはファイル作成日）に置き換えられる。
【００５０】
このようにして、利用者がキーワードのＤＡＴＥや、ＴＩＭＥなどをテンプレート文書中に記述しておくだけで、本プログラムは、写真の撮影日時など、ファイル付帯情報を自動的に文書に挿入する。この時、これら挿入される付帯情報の表示のレイアウト、フォント、フォントサイズ等は、前記キーワードを記述する際に設定されたとおりの条件が維持される。
【００５１】
図２に示すテンプレート文書は、１ページに３枚の写真を表示するように作られているので、本プログラムは同様な書き換え処理を、１ページ内で写真３枚分について行う。指定されたフォルダに３枚を超える数の写真が含まれている場合は、本プログラムはテンプレート文書の１ページ分のデータをコピーし、写真ファイルへのリンク、及びファイル付帯情報のみを次々と書き換えることにより、フォルダ内に何枚の写真が有っても、それら全部を表示する文書を作ることができる。このような本プログラムの動作は、殆ど一瞬の間に完了する。
【００５２】
その後、利用者は、手順Ｐ４（図１）に示すように、再びワードプロセッサプログラム１１を用いて前記テンプレート文書を参照する。
このテンプレート文書には、利用者が指定したフォルダ内にある全ての写真や図形へのリンクが記述されているので、ワードプロセッサプログラム１１は、手順Ｐ５（図１）に示すように、これらの写真や図形のファイルを開いて画面に表示する。この時、このような写真や図形は、利用者がテンプレートファイルによって指定したとおりの位置、大きさで表示される。また、写真や図形のファイル付帯情報が既にテンプレート文書内に挿入されているので、それも表示される。このファイル付帯情報も、利用者がテンプレートファイルによって指定したとおりの位置、大きさ、フォントで表示される。かくしてワードプロセッサプログラム１１は、図９に示すような画面を表示する。
【００５３】
図９は、本実施形態に係る表示印刷画面の設定方法で表示される画面の１例を示す説明図である。
同図に示す表示画面は、利用者が最初に図２に示すテンプレート文書で指定したとおりのレイアウトになっている。
【００５４】
利用者は、ワードプロセッサプログラム１１に備わっている機能を利用して、この表示画面を拡大または縮小することや、印刷することができる。
本実施形態では、説明を簡単にするために、本プログラムが利用者がワードプロセッサプログラムを用いて作成したテンプレート文書の内容を直接書き換えるように説明したが、本プログラムは最初にテンプレート文書のコピーを別ファイルとして作成し、そのコピーファイルに対して上記の機能を実行する方が好ましい。このような方法にすれば、元のテンプレート文書は作った状態のまま保持され、コピーすることによって何度でも再利用ができる。
【００５５】
また本実施形態では、前述のとおり、利用者コンピュータ装置１とサーバ装置２とが別々になっている図１の構成で説明したが、これらの装置が１台のパーソナルコンピュータ装置内で閉じている構成であっても動作は全く同様である。
【図面の簡単な説明】
【００５６】
【図１】本発明の実施形態に係る表示印刷画面の設定方法を取り入れたシステムの全体構成を示す構成図である。
【図２】本実施形態の表示印刷画面の設定方法で使用されるテンプレート文書の１例を示す説明図である。
【図３】本方法のプログラム１２（以下、「本プログラム」と略称する）の表示画面レイアウト時の動作を示すフローチャートを示す。
【図４】本実施形態に係る表示印刷画面の設定方法を備えたシステムの実情報データベースのフォルダ構造の１例を示す説明図である。
【図５】本実施形態に係る表示印刷画面の設定方法を実行する前のテンプレート文書の一部内容を示す説明図である。
【図６】本実施形態に係る表示印刷画面の設定方法を実行した後のテンプレート文書の一部内容を示す説明図である。
【図７】本実施形態に係る表示印刷画面の設定方法で作成される元のテンプレート文書においてキーワードのＤＡＴＥを含む部分を示した説明図である。
【図８】本実施形態に係る表示印刷画面の設定方法で作成されるレイアウト設定後のテンプレート文書においてキーワードのＤＡＴＥが含まれていた部分を示した説明図である。
【図９】本実施形態に係る表示印刷画面の設定方法で表示される画面の１例を示す説明図である。
【図１０】従来の画像表示印刷方法で表示・印刷されるデータの画面レイアウトを選択するための１例としての設定画面とその結果を示す説明図であり、図１０（ａ）は選択画面、図１０（ｂ）は選択された結果として表示・印刷される画像を示す。
【図１１】特許文献１に示された表示方法による情報の表示画面の説明図である。
【図１２】特許文献１に示された表示方法による画像のレイアウト方法を示すための画像表示テンプレートの説明図である。
【符号の説明】
【００５７】
１  利用者コンピュータ装置
２  サーバ装置
１１  ワードプロセッサプログラム
１２  本方法のコンピュータプログラム
１３  テンプレート（ＸＭＬフォーマット）
２１  実情報データベース
【図１】
2006276991.tif 000003
【図２】
2006276991.tif 000004
【図３】
2006276991.tif 000005
【図５】
2006276991.tif 000006
【図６】
2006276991.tif 000007
【図７】
2006276991.tif 000008
【図８】
2006276991.tif 000009
【図１１】
2006276991.tif 000010
【図１２】
2006276991.tif 000011
【図４】
2006276991.tif 000012
【図９】
2006276991.tif 000013
【図１０】
2006276991.tif 000014